(57)【要約】      （修正有）【課題】第１サイドカバーを固定するロッカーのロッキングロッドにラインストッパーを導入し、ロッカーの進退に沿って該ラインストッパーが隠蔽または露出するようにしてラインストッパーに投入された釣り糸の緊張固定または弛緩を可能にした隠蔽型ラインストッパーを備えた釣り用リールを提供する。【解決手段】フレームＲ１と、前記フレームＲ１に装着されたシャフトと、前記シャフトに軸設されたスプールと、前記フレーム側面に備えられ、前記スプールの分離のために開放が可能な第１サイドカバーＲＣと、前記第１サイドカバーＲＣの反対側に配列された第２サイドカバーＲｃと、フレームＲ１及び第１サイドカバーＲＣを貫通して進退時にロック及びアンロック機能をするロッキングロッド１１を含むロッカー１０と、前記ロッキングロッド１１に備えられて隠蔽または露出するラインストッパーｓｒ、ｓｈとを含んでなる釣り用リール。【選択図】図２
2016171796.tif 000002
【特許請求の範囲】
【請求項１】
フレーム；
前記フレームに装着されたシャフトと、
前記シャフトに軸設されて釣り糸が巻かれるスプールと、
前記フレーム側面に備えられ、前記スプールの分離のために開放が可能な第１サイドカバーと、
前記第１サイドカバーの反対側に配列され、前記フレームに結合された第２サイドカバーと、
フレーム及び第１サイドカバーを貫通して進退時にロック及びアンロック機能をするロッキングロッド、及び該ロッキングロッドと連結されて第１または第２サイドカバー側に備えられたグリップを含むロッカーと、
前記第１サイドカバーの開放のために進退するロッキングロッドに備えられて隠蔽または露出するラインストッパーと、を含んでなる釣り用リール。
【請求項２】
前記ラインストッパーは、ロッキングロッドに形成されたループ（ｌｏｏｐ）またはフック（ｈｏｏｋ）を含むことを特徴とする、請求項１に記載の釣り用リール。
【請求項３】
前記ラインストッパーは、ループまたはフックの隣接または重畳位置のロッキングロッドの周囲に備えられた環溝をさらに含むことを特徴とする、請求項２に記載の釣り用リール。
【請求項４】
前記ロッキングロッドは、ラインストッパーと離隔配列された補助ラインストッパーをさらに含むことを特徴とする、請求項１ないし請求項３のいずれか１項に記載の釣り用リール。
【発明の詳細な説明】
【技術分野】
【０００１】
本発明は、隠蔽型ラインストッパーを備えた釣り用リールに関する。より詳細には、非使用時にスプールに巻かれた釣り糸が解けることを防ぐために、釣り糸を、通常の結び目の後テンションナットまたは足部（リールの釣り竿装着用途）に掛けて保管するが、これによると、不便さと結び目部位の脆弱化問題があり、別途の釣り糸固定装置を導入することは釣り用リール構造自体まで変形しなければならない場合もあるので、汎用性及び価格競争力の側面で問題があるところ、
これを解決するためにパームサイドカバー（ｐａｌｍ  ｓｉｄｅ  ｃｏｖｅｒ）を固定するロッカーのロッキングロッドに、ループまたはフックタイプなどのラインストッパーを導入し、グリップを用いたロッカーの進退によって該ラインストッパーが隠蔽または露出するようにして、ラインストッパーに投入された釣り糸の緊張固定または弛緩が可能となるようにした隠蔽型ラインストッパーを備えた釣り用リールに関する。
【背景技術】
【０００２】
釣りの途中や釣りの後にリールを釣りに使用せずに保管する場合、釣り針を保管する技術に関し、本発明の出願人による韓国特許登録第１０−１２７３６５３号（登録日２０１３年０６月０４日）［移動及び運搬が便利な釣り竿］がある。この登録特許は、釣り竿の移動や運搬時に釣り糸、釣り針、おもりなどが揺れるか又は垂れることを防ぐために、釣り糸、釣り針、おもりなどを固定させる掛け手段を導入して釣り竿の移動や運搬が便利になるようにし、また釣り針やおもりによる傷害や損傷を防ぐことで安全性を高めることができる改善技術を提示している。
【０００３】
また、本発明の出願人による韓国特許登録第１０−１４１８０３０号（登録日２０１４年０７月０３日）［釣り針掛け手段を備えた釣り用リール及びこれを有する釣り竿］がある。この登録特許は、リール本体と、リール本体に形成された結合部と、釣り針が据置される掛け部と、結合部に連結される対応結合部を含む掛け手段が導入されることで、釣り針が掛け手段の掛け部に安定して据置されて釣り針による釣り用リールの損傷防止と、使用者の傷害を防ぎ、また釣り竿の移動や運搬などのような釣り竿の取扱上の便宜性を保障することができる技術を提示している。
【０００４】
さらに本発明の出願人による韓国特許登録第１０−１４９２２００号（登録日２０１５年０２月０４日）［釣り針掛け手段を備えた釣り用リール］がある。この登録特許は、リール本体と、リール本体に形成された収納部と、釣り針が据置される掛け部と収納部に結合される連結部を含む掛け手段が導入されることで、釣り針が掛け手段の掛け部に安定して据置されて釣り針による釣り用リールの損傷防止と、使用者の傷害を防ぎ、また釣り用リールが備えられた釣り竿の移動や運搬などのような釣り竿の取扱上の便宜性を保障することができる技術を提示している。
このように本発明の出願人は、釣り針を非使用時に固定することができるようにする多様な技術を提示したことがある。
【０００５】
一方、非使用時に釣り糸（以下、「ライン」とは、釣り糸を表す）をそのまま放置すると、スプールの回転によってラインガイドから抜け出て次に釣りを再開する時にラインの端の部分を見つけた後、ラインガイドを通過させなければならない不便さがあり、クラッチオフ（ｏｆｆ）状態で保管するとスプールがラインの解ける方向に回転してバックラッシュ（ｂａｃｋｌａｓｈ）のような状態となってラインがひどく絡まり、ラインを使用できない場合が発生する可能性があるところ、
従来、非使用時に釣り糸をスプールに巻かれ緊張した状態で保管するための方法としては、まず、結び目の後、テンションナットまたは足部（リールの釣り竿装着用の部分）に掛けて保管することができるが、これによる結び目及び結び目を解く時の不便さと結び目部位の脆弱化問題があり、場合によって釣りのために針を結ぶ時には結び目部位を切断して使用しなければならずその分損失が発生し、特に高価な釣り糸の場合には問題がさらに大きい。
【０００６】
また、ラインの端の部分をスプールのライン糸巻部にテープで付着する方法があるが、この場合には釣りを再開する場合にテープを除去し、ラインをラインガイドに通過させなければならない不便さがあり、テープの接着成分がラインに残りラインの機能を低下させるようになるという問題を引き起こす場合がある。
【０００７】
また、外装型ライン固定装置を導入する場合、再使用時にライン固定装置をラインから除去して釣りをする間別途に保管しなければならない不便さと紛失のおそれが常に存在するという問題点がある。
【０００８】
また、内蔵型ライン固定装置またはラインストッパーの導入時には、釣り用リールの大型化の問題があり、釣り用リール構造自体まで変形しなければならない可能性もあり、汎用性及び価格競争力の側面で問題がある。
【０００９】
また、スプール糸巻部に結んでラインを固定する方案もあるが、スプール糸巻部に結んでラインを固定しようとすると、スプールを本体から分離した後に結ばなければならず、ラインが結ばれたスプールを再び装着して保管（他の場所に保管することもできない）して釣りを再開する時には、再びスプールを分離した後に結び目を解いたり切ったりした後に再びリール本体にスプールを装着し、ラインをラインガイドに通過させなければならないという不便さが大きい。
このように従来の多様なリール非使用時のラインの緊張保管方法はすべて短所を有する。
【先行技術文献】
【特許文献】
【００１０】
【特許文献１】大韓民国特許登録第１０−１２７３６５３号明細書
【特許文献２】大韓民国特許登録第１０−１４１８０３０号明細書
【特許文献３】大韓民国特許登録第１０−１４９２２００号明細書
【発明の概要】
【発明が解決しようとする課題】
【００１１】
そこで、本発明は、スプールをフレームに装着するための側面投入口を開閉する回転するパームサイドカバーをフレームに固定するロッカーのロッキングロッドにループまたはフックタイプなどのラインストッパーを導入し、グリップを用いたロッカーの進退によって該ラインストッパーが隠蔽または露出するようにしてラインストッパーに投入された釣り糸の緊張固定または弛緩・再使用が可能になるようにして、迅速なライン固定及び解除を保障するとともに、ラインの損傷を防ぎ、フレームなど基本リール部品の変形が不要で汎用性及び価格競争力の確保が可能な隠蔽型ラインストッパーを備えた釣り用リールを提供することを目的とする。
【００１２】
また、本発明は、前記ラインストッパーが、ループまたはフックの隣接または重畳位置（重なる位置）のロッキングロッドの周囲に環溝をさらに備え、フレームやサイドカバーとロッカーとの間にラインが挟まって損傷することを防ぐようにした隠蔽型ラインストッパーを備えた釣り用リールを提供することを目的とする。
【００１３】
さらに、本発明は、前記ロッキングロッドにラインストッパーと離隔配列された補助ラインストッパーを別途にさらに導入して使用者の選択便宜性を向上した隠蔽型ラインストッパーを備えた釣り用リールを提供することを目的とする。
【課題を解決するための手段】
【００１４】
上記の目的を達成するために、本発明による隠蔽型ラインストッパーを備えた釣り用リールは、フレームと；前記フレームに装着されたシャフトと；前記シャフトに軸設されて釣り糸が巻かれるスプールと；前記フレーム側面に備えられ、前記スプールの分離のために開放が可能な第１サイドカバーと；前記第１サイドカバーの反対側に配列され、前記フレームに結合された第２サイドカバーと；フレーム及び第１サイドカバーを貫通して進退時にロック及びアンロック機能をするロッキングロッド、及び該ロッキングロッドと連結されて第１または第２サイドカバー側に備えられたグリップを含むロッカーと；前記第１サイドカバーの開放のために進退するロッキングロッドに備えられて隠蔽または露出するラインストッパーと；を含んでなる。
【００１５】
また、本発明による隠蔽型ラインストッパーを備えた釣り用リールにおいては、
前記ラインストッパーは、ロッキングロッドに形成されたループまたはフックを含むこと、
前記ラインストッパーは、前記ループまたはフックの隣接または重畳位置のロッキングロッドの周囲に備えられた環溝をさらに含むこと、
前記ロッキングロッドには、ラインストッパーと離隔配列された補助ラインストッパーをさらに含むこと、
が好ましい。
【発明の効果】
【００１６】
本発明による隠蔽型ラインストッパーを備えた釣り用リールは、スプールのフレーム装着のための側面投入口を開閉する滑るパームサイドカバーをフレームに固定するロッカーのロッキングロッドに、ループまたはフックタイプなどのラインストッパーを導入し、グリップを用いたロッカーの進退によって該ラインストッパーが隠蔽または露出するようにしてラインストッパーに投入された釣り糸の緊張固定または弛緩・再使用が可能になるようにして、迅速なライン固定及び解除を保障し、ラインの損傷を防ぐとともに、フレームなど基本リール部品の変形が不要で汎用性及び価格競争力の確保が可能である。また前記ラインストッパーがループまたはフックの隣接または重畳位置のロッキングロッドの周囲に備えられた環溝をさらに備えると、フレームやサイドカバーとロッカーとの間にラインが挟まって損傷することを防ぐことができる。さらに、前記ロッキングロッドにラインストッパーと離隔配列された補助ラインストッパーを別途にさらに導入すると、使用者の選択便宜性の向上が可能になる。
【図面の簡単な説明】
【００１７】
【図１】本発明による隠蔽型ラインストッパーを備えた釣り用リールの平面図である。
【図２】本発明による隠蔽型ラインストッパー及び補助ラインストッパーを備えた釣り用リールの一例の斜視図である。
【図３】本発明による隠蔽型ラインストッパー及び補助ラインストッパーを備えた釣り用リールの一例の斜視図である。
【図４】本発明による隠蔽型ラインストッパー及び補助ラインストッパーを備えた釣り用リールの一例の斜視図である。
【図５】本発明による他の変形隠蔽型ラインストッパーを表す図面である。
【発明を実施するための形態】
【００１８】
以下、添付した図面を参考にして本発明を詳細に説明する。
【００１９】
本発明は多様な変更を加えることができ、様々な形態を持つことができるもので、その具現例（態様、ａｓｐｅｃｔ）（または実施例）をここに詳細に説明する。しかし、これは本発明を特定の開示形態に限定しようとするものではない。本発明には、本発明の思想および技術範囲に含まれるすべての変更、均等物または代替物を含まれるものと理解されなければならない。
【００２０】
各図面において、同一の参照符号、特に十の桁および一の桁、または十の桁、一の桁およびアルファベットが同じである参照符号は同一または類似の機能を持つ部材を示し、特に言及がない場合、図面の各参照符号が指す部材はこのような基準に準ずる部材と把握すればよい。
【００２１】
また、各図面において、構成要素は、理解の便宜などのために、大きさや厚さを誇張して大きく（または厚く）或いは小さく（または薄く）表現しているか単純化して表現しているが、これによって本発明の保護範囲が制限的に解釈されてはならない。
【００２２】
本明細書で使用する用語は、特定の具現例（態様、ａｓｐｅｃｔ）（または実施例）を説明するために使用されたもので、本発明を限定しようとするものではない。単数の表現は、文脈上特に明記しない限り、複数の表現を含む。本出願において、「含む」または「からなる」などの用語は、明細書上に記載した特徴、数字、段階、動作、構成要素、部分品またはこれらの組み合わせが存在することを指定しようとするものであり、一つまたはそれ以上の他の特徴、数字、段階、動作、構成要素、部分品またはこれらの組み合わせなどの存在または付加の可能性を予め排除しないものと理解されなければならない。
【００２３】
特に他に定義しない限り、技術用語や科学用語を含み、ここで使われるすべての用語は本発明の属する技術分野における通常の知識を有する者によって一般的に理解されるものと同じ意味を持っている。一般的に使われる辞典に定義されている用語は、関連技術の文脈上で持つ意味と一致する意味を持つものと解釈されなければならず、本明細書で明らかに定義しない限り、理想的な意味または過度に形式的な意味に解釈されない。
【００２４】
本明細書において、公知の機能及び構成に対する具体的な説明が本発明の要旨を不要に曖昧にする可能性があると判断される場合、それに対する説明は省略することができる。
【００２５】
まず、図１に図示されたように、本発明による釣り用リールＲは、フレームＲ１、前記フレームに装着されたシャフトＲ２、前記シャフトに軸設されて釣り糸が巻かれるスプールＲ３、フレーム両側面に備えられたカバーＲＣ、Ｒｃ、ハンドルＲ４、テンションナットＲ５、釣り用リールを釣り竿に固定するための足部Ｒ６（図２［Ａ］参照）を含む。これらを含む従来の釣り用リール、特にベイトリールの具体構造及び動作に関連する説明は便宜上省略する。
【００２６】
前記サイドカバーのうち、特にパームサイドカバー即ち第１サイドカバーＲＣは、フレームＲ１に、シャフトＲ２を有するスプールＲ３を装着するために投入する側面開口部を開閉する役割をする。そこで、第１サイドカバーＲＣの開閉のためのロッカーが導入される。
【００２７】
該ロッカーは、フレーム及び第１サイドカバーを貫通するか、第２サイドカバーＲｃ、フレームＲ１及び第１サイドカバーＲＣを貫通して結合される。図示された構造は後者に該当するが、本明細書及び請求の範囲で「フレーム及び第１サイドカバーを貫通」して進退時にロック及びアンロック機能をするロッキングロッドの概念は、両者を包括する概念である。なお、前者に該当する概念は図５で確認することができる。
【００２８】
一方、本明細書でロッカー１０が第２サイドカバーＲｃ、フレームＲ１または第１サイドカバーＲＣを「貫通」するという表現は、両端が連通するように穿孔した形態で結合するという意味と、特にロッキングロッド１１のロック端部１１ｅが挟まれて結合された状態を包括して指称するものである。
【００２９】
図１及び下部一点鎖線の楕円内のロッカーの動作図面で確認することができるように、
ロッキングロッド１１を含むロッカー１０はグリップ１３をさらに含む。グリップ１３を握って引いて後退（右側へ移動）させると、ロッキングロッド１１のロック端部１１ｅが第１サイドカバーＲＣのロッキングホールＲｈから分離する。そして、第１サイドカバーを別途の軸（図示しない）を中心に回転すると、フレームの側面開口部が開放する。図１では迅速（ｑｕｉｃｋ）なロッキング及びアンロッキング（ｕｎｌｏｃｋｉｎｇ）のために、コイルスプリング１５によって弾支されて、外力を加えなければロック端部１１ｅが前記第１サイドカバーＲＣのロッキングホールＲｈに投入される前進方向に弾性が発揮される構造を有する。
【００３０】
必要に応じてコイルスプリング１５と共にまたはコイルスプリングは省略して、ロッカーのロッキングロッドに雄ねじ部を形成し、第１または第２サイドカバーに雌ねじ部を形成してねじ結合により第１サイドカバーのロッキング状態固定が可能になるようにすることができる。または、ロッカーのグリップは第１サイドカバー側に備えられ、ロッキングロッドのロック端部はフレームに形成されたロッキングホールに挿入される形態に変形することができる。本明細書及び請求の範囲で「第１または第２サイドカバー側に備えられたグリップ」という表現は、図示されたグリップなどのロッカー構造と該変形ロッカー構造を包括するための表現である。
【００３１】
本発明による釣り用リールＲの核心をなすラインストッパーＳは、
図２ないし図４（図２ないし図４それぞれでは、リールＲは、便宜上他の構成要素が省略され、フレームＲ１とサイドカバーＲＣ、Ｒｃが主に図示されている）に示されている多様なロッカー１０及びラインストッパーＳ（図２ないし図４それぞれでロッカー１０は便宜上コイルスプリング１５などロッキング状態固定部材など他の構成要素が省略され、ロッキングロッド１１及びグリップ１３が主に図示されている）の構造のように、
第２サイドカバーＲｃ側に備えられた（または第１サイドカバー側に備える）グリップ１３を把持し、第２サイドカバーＲｃ、フレームＲ１及び第１サイドカバーＲＣを貫通（またはフレーム及び第１サイドカバーを貫通）したロッキングロッド１１を進退して第１サイドカバーＲＣのロック及びアンロック動作を遂行する場合、
ロッカー１０の解除及び第１サイドカバーＲＣ（ｐａｌｍ  ｓｉｄｅ  ｃｏｖｅｒ）を開くためのロッキングロッド１１の後退時に露出して、ライン（または必要に応じて釣り針）を投入・固定することができるようになる（または既にラインストッパーＳに投入されたラインの弛緩動作が行われることがある）。
【００３２】
続いてライン投入後には再びグリップ１３を操作して（解除して）ロッキングロッド１１を前進させてロッカーのロック及び第１サイドカバーＲＣの閉鎖・ロッキングをする動作時に
ラインストッパーＳは隠蔽されて、ラインが、ロッキングロッドと第１サイドカバーまたはロッキングロッドとフレームとの間に軽く挟まれて固定され、以後ハンドルＲ４を回してスプールＲ３を巻くとラインがスプールに張りつめて巻かれた状態で保管すること（ラインの緊張保管）が可能になる。
【００３３】
このように本発明のラインストッパーＳは、外装または内蔵ライン固定装置を採用したものではなくロッカーを活用するもので、別途の装備や部品が不要なので、
リール自体の部品（ロッカー）の使用による紛失のおそれがなく、
リールが大型化する問題がなく、
隠蔽型でライン固定時にのみ外部に露出するので、釣り用リールの外観の美しさの維持と各部品及び部位の機能維持が保障され、
結び目が不要なため、便利で、ライン損傷及び損失のおそれがなく、
釣り糸がラインガイドに投入された状態のままでラインストッパーに固定することが可能であり、釣りを再開する時の便宜性が向上する。
【００３４】
このようなラインストッパーＳは、ロッカー１のロッキングロッド１１、特にグリップ１３隣接部位に形成されたループＳｒ（ｌｏｏｐ）またはフックＳｈ（ｈｏｏｋ）タイプであることができる。
【００３５】
単純穴型であるループタイプラインストッパーＳｒは、図２［Ａ］の左側上部の一点鎖線の円内、図３［Ａ］の左側上部の一点鎖線の円内、図４［Ａ］の左側上下二つの一点鎖線の円内にそれぞれ図示されている。
【００３６】
これに比べてフックタイプラインストッパーＳｈは、図２［Ａ］の左側下部の一点鎖線の円内、図３［Ａ］の左側下部の一点鎖線の円内にそれぞれ図示されているが、例えば、フックタイプラインストッパーは、ループタイプラインストッパーに比べて釣り糸端部に針が装着された状態でラインを固定することが可能であるという長所を有する。
【００３７】
フックタイプラインストッパーＳｈは各図面で下向きに開口した開部構造だが、釣り用リールＲを釣り竿に装着して使用する場合には、リールが釣り竿の下部に装着されてフックタイプラインストッパーの開部は上向き配列されるようになり、これによってラインを投入する場合、自重によってラインがフックタイプラインストッパーＳｈから離脱する状況の発生を防ぐ。また、フックタイプラインストッパーＳｈは開部が片側（特にグリップ１３から遠い方）に傾斜しており、ライン投入後のグリップを置くとラインが開部から遠くなる位置に移動するようになって安定した固定状態を維持することができる。
【００３８】
一方、図５で確認することができるように、フレームに備えられたロッキングホールＲＨに結合されるロック端部１１Ｅを備えたロッキングロッド１１Ｍを含み、該ロッキングロッドと連結されて第１サイドカバーＲＣ側に配列されたグリップ１３Ｍを有するロッカー１０Ｍを導入する場合（該ロッカーもコイルスプリング１５Ｍによって弾支される）、
ロッカー１０Ｍの解除及び第１サイドカバーＲＣ（ｐａｌｍ  ｓｉｄｅ  ｃｏｖｅｒ）を開くためのロッキングロッド１１Ｍの後退時に露出してライン（または必要に応じて釣り針）を投入・固定することができるように
やはりロッキングロッドのグリップ１３Ｍ近傍にラインストッパー、特にループタイプラインストッパーＳＭまたはフックタイプラインストッパーＳＭ’がさらに導入されて活用されるように構成することができる。
【００３９】
前記ラインストッパーＳは、ループまたはフックの隣接または重畳位置のロッキングロッド１１の周囲に備えられた環溝Ｓ１をさらに導入して、フレームＲ１やサイドカバーＲＣ、Ｒｃとロッカー１０との間にラインが挟まって損傷することを防ぐようになっていることが好ましい。該環溝Ｓ１は、図２［Ｂ］（ラインストッパーと非重畳位置に配列）及び図４［Ａ］（ラインストッパーと重畳位置に配列）で確認することができるが、特に、該環溝はロッカー１０がフレームＲ１またはサイドカバーＲＣ、Ｒｃにねじ結合で結合される場合（これによって図４［Ａ］のロッカー１０はそのグリップ１３がローレット（ｋｎｕｒｌｉｎｇ）加工された外周面を有し、マイナスドライバーなどの工具挿入溝が備えられている）、ロッカー１０の旋回によってラインストッパーＳの周囲にラインが巻糸されて厚くなる場合に適する。必要に応じて環溝の位置（ラインストッパーとの重畳または非重畳位置）、幅、深さなどを多様に選択することができる。
【００４０】
一方、前記ロッキングロッドには、ラインストッパーＳと離隔配列された補助ラインストッパーｓがさらに備えられており、使用者が必要に応じてラインストッパーまたは補助ラインストッパー、またはこの二つを一緒に使用することが可能であり、使用者の選択便宜性を向上することができる。
【００４１】
該補助ラインストッパーｓも、ループタイプｓｒ（図２［Ｂ］の左側上部の一点鎖線の円内、図３［Ｂ］の左側上部の一点鎖線の円内、図４［Ｂ］の左側上下部の二つの一点鎖線の円内にそれぞれ図示される）や、フックタイプｓｈ（図２［Ｂ］の左側下部の一点鎖線の円内、図３［Ｂ］の左側下部の一点鎖線の円内にそれぞれ図示される）であることができる。同時に補助ラインストッパーｓも、同様の理由で、ループｓｒまたはフックｓｈの重畳位置または隣接・非重畳位置のロッキングロッド１１の周囲に備えられた環溝ｓ１（図４［Ｂ］の左側上下部の二つの一点鎖線の円内を参照）を有することが好ましい。
【００４２】
また、該補助ラインストッパーｓも、前記第１サイドカバーを閉鎖・ロックまたはオープン・開放するためのロッキングロッド１１の進退によって備えられて隠蔽または露出することができる。必要に応じて補助ラインストッパーはロッキングロッドの進退と無関係に常に露出型で構成して釣り針の据置・固定用途で使用することができる（ラインストッパーは釣り針が走ったラインを固定する用途で使用）。
【００４３】
一方、図４［Ａ］の右側下部の二つの一点鎖線の円内には変形ラインストッパーＳｍが図示されている。これはループタイプとフックタイプ兼用の構造を有する。具体的には、変形ロッカー１０ｍのロッキングロッド１１ｍとグリップ１３ｍが分離した構造で、ロッキングロッド１１ｍのグリップ側端部にはフックタイプラインストッパーＳＨが備えられており、ロッキングロッド端部が内挿されたグリップ１３ｍはカバーＳｃを有し、該カバーのフックタイプラインストッパーＳＨに相応する位置に閉鎖用リセスＳｃｈが備えられている。
【００４４】
組立時にグリップ１３ｍの貫通装着部ＳｃＨ右側でロッキングロッド１１ｍを挿入すると、ロッキングロッド左側端部の掛け部ｓＰが装着部の右側端部内周面の対応掛け部ＳＰに掛かるようになる。カバーＳｃのリセスＳｃｈとロッキングロッド１１ｍのフックタイプラインストッパーＳＨが一致して一つの結合ループＳＲを形成するようにする
【００４５】
スプリングＳＳは、右側結合部ｓＳがロッキングロッド１１ｍの掛け部ｓＰに掛けて確固に固定され、スプリングＳＳの左側結合部Ｓｓは、グリップ１３ｍの装着部ＳｃＨ左側端の掛け突起Ｓｐに掛けられてループＳＲタイプラインストッパーの型合形成を補正する。
【００４６】
このようなスプリングの役割は異なる定位置結合部材によって代替することができる。スプリングＳＳ挿入・組立後、グリップ１３ｍの装着部ＳｃＨの左側開口部はキャップ１３Ｃの結合（ねじ結合または焼嵌め方式などを採用可能）で閉鎖される。
【００４７】
グリップ１３ｍを引くと第１サイドカバーの回動・開放のためのロッキングロッド１１ｍの後退と共に、スプリングＳＳが伸びながらグリップのカバーＳｃも左側（後進）移動するようになってカバーＳｃのリセスＳｃｈがロッキングロッド１１ｍのフックタイプラインストッパーＳＨと分離して開部が露出し、
最終的にはグリップ１３ｍの対応掛け部ＳＰがロッキングロッド１１ｍの左側端部の掛け部ｓＰと触れると、これ以上のグリップの単独移動が遮断されるようになり、全体的には第２サイドカバー外側にフックタイプラインストッパーＳＨが露出するようになる。
このような変形ラインストッパーＳｍはループタイプとフックタイプの長所を兼ねることができ、必要に応じてかかる構造は補助ラインストッパーにも導入することができる。
【００４８】
以上の説明で、釣り用リール、特にベイトリールに関連する通常の公知技術は省略されているが、当業者であれば容易にこれを推測及び推論して再現することができる。以上で本発明を説明するにあたり、添付図面を参照して、特定の形状と構造を持つ釣り用リールについて説明したが、本発明は、当業者によって様々な修正、変更及び置換が可能であり、それらの修正、変更及び置換も本発明の保護範囲に属するものと解釈されるべきである。
【符号の説明】
【００４９】
Ｒ            釣り用リール
Ｒ１          フレーム
Ｒ２          シャフト
Ｒ３          スプール
Ｒ４          ハンドル
ＲＣ、Ｒｃ    サイドカバー
１０          ロッカー
１１          ロッキングロッド
１３          グリップ
１５          コイルスプリング
Ｓ、Ｓｒ、ＳＲ、Ｓｈ、ＳＨ、ｓ、ｓｒ、ｓｈ    ラインストッパー
Ｓ１、ｓ１    環溝
Ｓｃ          カバー
【図１】
2016171796.tif 000003
【図２】
2016171796.tif 000004
【図３】
2016171796.tif 000005
【図４】
2016171796.tif 000006
【図５】
2016171796.tif 000007